(57)【要約】【課題】記録媒体から読み出したデータを、交換した他の記録媒体へバックアップする記録再生装置を提供する。【解決手段】交換部１５は、収納してある複数の光ディスクのうち、バックアップ対象となる1つの光ディスクを光ディスクドライブ１１に装着する。光ディスクドライブ１１により読み出されたデータが記憶部１２に記憶される。交換部１５は、光ディスクドライブ１１に装着したバックアップ対象の光ディスクを、収納してある複数の光ディスクのうち、バックアップ先の光ディスクへ交換する。光ディスクドライブ１１は、記憶部１２に記憶してあるデータを交換後のバックアップ先の光ディスクに記録して、バックアップ対象の光ディスクに記録してあるデータをバックアップする。【選択図】図２
2010250897.tif 000002
【特許請求の範囲】
【請求項１】
装着された一の記録媒体に対してデータの記録又は再生を行う記録再生部と、該記録再生部に装着された記録媒体を他の記録媒体に交換する交換部とを備えた記録再生装置において、
前記記録再生部により前記一の記録媒体から再生したデータを記憶する記憶部
を備え、
前記交換部は、前記記憶部にデータが記憶された場合、前記記録再生部に装着された前記一の記録媒体を前記他の記録媒体に交換するよう構成してあり、
更に
前記記憶部に記憶されたデータを前記記録再生部により前記他の記録媒体に記録してバックアップするバックアップ部
を備えることを特徴とする記録再生装置。
【請求項２】
前記記憶部に記憶されたデータを前記バックアップ部によりバックアップした場合、該データを前記記憶部から消去する消去部を備えることを特徴とする請求項１に記載の記録再生装置。
【請求項３】
前記記録再生部は、前記記憶部の記憶容量に基づいて前記一の記録媒体に記録してあるデータの一部を再生するよう構成してあり、
前記バックアップ部は、
前記記憶部に前記一部が記憶される都度、前記一部をバックアップするよう構成してある
ことを特徴とする請求項２に記載の記録再生装置。
【請求項４】
前記交換部は、複数の記録媒体を収納し、該複数の記録媒体の内の一の記録媒体を前記記録再生部に装着し、前記複数の記録媒体の内の他の記録媒体に交換するよう構成してあることを特徴とする請求項１から請求項３までのいずれか一項に記載の記録再生装置。
【請求項５】
前記記憶部は、データを記憶することができる複数の記憶領域を有し、
記録媒体夫々に固有の媒体情報を前記複数の記憶領域の内の一の記憶領域に関連付けて記憶する媒体関連付け手段と、
記録媒体に記録しているデータ及び該記録媒体の媒体情報を関連付けてある記憶領域で記憶しているデータを示す情報を、互いに関連付けて記憶するデータ関連付け手段と
を備え、
更に
前記バックアップ部は、前記記録媒体に関連付けてある記憶領域に記憶したデータをバックアップするよう構成してある
ことを特徴とする請求項１から請求項４までのいずれか一項に記載の記録再生装置。
【発明の詳細な説明】
【技術分野】
【０００１】
本発明は、記録媒体に記録されたデータを、交換した他の記録媒体へバックアップする記録再生装置に関する。
【背景技術】
【０００２】
現在、テレビジョン放送等により放送された番組を示す番組データを光ディスクに記録し、又は光ディスクに記録した番組データを再生する記録再生装置が普及している。また、複数の光ディスクを収納し、各光ディスクに対してデータの記録又は再生を可能にした記録再生装置が知られている。このような記録再生装置は、収納した複数の光ディスクのうち、選択された１つの光ディスクをドライブ部に装着するディスクチェンジャを備えている（例えば特許文献１参照）。一般に記録再生装置は、記録又は再生を行うドライブ部を１つのみ備えており、ディスクチェンジャによりドライブ部に装着した１つの光ディスクに対してのみ、記録又は再生が行われる。
【先行技術文献】
【特許文献】
【０００３】
【特許文献１】特開２００２−２１６４２７号公報
【発明の概要】
【発明が解決しようとする課題】
【０００４】
しかしながら、従来のディスクチェンジャ及び１つのドライブ部を備えた記録再生装置は、収納してある複数の光ディスクのうち、１つの光ディスクに記録してあるデータを、収納してある他の光ディスクに記録してデータをバックアップすることが不可能であった。
【０００５】
本発明は斯かる事情に鑑みてなされたものであり、バックアップ対象の記録媒体から読み出したデータを記憶する記憶部を備えることにより、記録媒体に記録してあるデータを他の記録媒体に１つのドライブ部を用いてバックアップすることが可能となる記録再生装置を提供することを目的とする。
【課題を解決するための手段】
【０００６】
本発明に係る記録再生装置は、装着された一の記録媒体に対してデータの記録又は再生を行う記録再生部と、該記録再生部に装着された記録媒体を他の記録媒体に交換する交換部とを備えた記録再生装置において、前記記録再生部により前記一の記録媒体から再生したデータを記憶する記憶部を備え、前記交換部は、前記記憶部にデータが記憶された場合、前記記録再生部に装着された前記一の記録媒体を前記他の記録媒体に交換するよう構成してあり、更に前記記憶部に記憶されたデータを前記記録再生部により前記他の記録媒体に記録してバックアップするバックアップ部を備えることを特徴とする。
【０００７】
本発明にあっては、収納してある複数の記録媒体のうち、バックアップ対象となる１つの記録媒体がドライブ部に装着されてデータが読み出される。読み出されたデータは、記憶部に記憶される。ドライブ部に装着された記録媒体が収納してある複数の記録媒体のうち、空き容量を有する他の記録媒体に交換される。記憶部に記憶されたデータが、交換された記録媒体に記録されてバックアップされる。
【０００８】
本発明に係る記録再生装置は、前記記憶部に記憶されたデータを前記バックアップ部によりバックアップした場合、該データを前記記憶部から消去する消去部を備えることを特徴とする。
【０００９】
本発明にあっては、記憶部に記憶されたデータが他の記録媒体にバックアップされた場合、記憶部から当該データが消去されて記憶部の空き容量が確保される。
【００１０】
本発明に係る記録再生装置は、前記記録再生部は、前記記憶部の記憶容量に基づいて前記一の記録媒体に記録してあるデータの一部を再生するよう構成してあり、前記バックアップ部は、前記記憶部に前記一部が記憶される都度、前記一部をバックアップするよう構成してあることを特徴とする。
【００１１】
本発明にあっては、記憶部の記憶容量に基づいて記憶部に記憶可能な容量分のデータがバックアップ対象の記録媒体から読み出されて記憶部に記憶される。記憶部に記憶されたデータが他の記録媒体にバックアップされる。バックアップ対象の記録媒体に記録されたデータ全てが他の記録媒体にバックアップされるまで、バックアップ対象の記録媒体からのデータの読み出しが繰返される。これにより、記録媒体に記録されているデータの容量が記憶部の記憶容量よりも大きい場合であっても、当該データがバックアップされる。
【００１２】
本発明に係る記録再生装置は、前記交換部は、複数の記録媒体を収納し、該複数の記録媒体の内の一の記録媒体を前記記録再生部に装着し、前記複数の記録媒体の内の他の記録媒体に交換するよう構成してあることを特徴とする。
【００１３】
本発明にあっては、バックアップ対象の記録媒体及びバックアップ先の記録媒体を含む複数の記録媒体が交換部に収納される。バックアップ対象の記録媒体が記録再生部に装着され、データが読み出されて記憶部に記憶される。記録再生部に装着されているバックアップ対象の記録媒体がバックアップ先の記録媒体に交換される。記憶部に記憶されたデータが交換されたバックアップ先の記録媒体に記録されてバックアップされる。
【００１４】
本発明に係る記録再生装置は、前記記憶部は、データを記憶することができる複数の記憶領域を有し、記録媒体夫々に固有の媒体情報を前記複数の記憶領域の内の一の記憶領域に関連付けて記憶する媒体関連付け手段と、記録媒体に記録しているデータ及び該記録媒体の媒体情報を関連付けてある記憶領域で記憶しているデータを示す情報を、互いに関連付けて記憶するデータ関連付け手段とを備え、更に前記バックアップ部は、前記記録媒体に関連付けてある記憶領域に記憶したデータをバックアップするよう構成してあることを特徴とする。
【００１５】
本発明にあっては、記録媒体夫々に固有の媒体情報を特定の記憶領域に関連付けて記憶することにより、特定の記憶領域に対応付けて特定の記録媒体を登録する。記録再生装置は、記憶領域の記憶内容と記録媒体の記録内容とをまとめて管理し、記録媒体に対するデータの記録及び再生を補助するように記憶領域に対してデータの記録及び再生を行う。記録再生装置は、バックアップ対象の記録媒体に記録されたデータを読み出してバックアップ先の記録媒体に対応付けられた記憶領域に記憶する。記憶領域に記憶されたデータがバックアップ先の記録媒体に記録されてバックアップされる。
【発明の効果】
【００１６】
本発明にあっては、バックアップ対象の記録媒体から読み出したデータを記憶する記憶部を備えることにより、記録媒体に記録してあるデータを他の記録媒体に１つのドライブ部を用いてバックアップすることが可能となる。
【図面の簡単な説明】
【００１７】
【図１】放送記録装置の外観を示す概念図である。
【図２】放送記録装置の内部構成を示すブロック図である。
【図３】バックアップ処理の手順を示すフローチャートである。
【図４】記憶部の内部構成を示す模式図である。
【図５】記憶部の記憶領域を分割する処理の手順を示すフローチャートである。
【図６】光ディスクドライブに光ディスクが装着されてから放送記録装置が行う処理の手順を示すフローチャートである。
【図７】光ディスクの記録内容を記憶部の記憶内容に同期させた結果を示す概念図である。
【図８】光ディスクの記録内容を記憶部の記憶内容に同期させた結果を示す概念図である。
【図９】マップ情報、記録状態情報及びＦＳデータのレコードレイアウト例を示す図表である。
【図１０】バックアップ情報及びＦＳデータのレコードレイアウト例を示す図表である。
【図１１】バックアップ先の光ディスクの記録内容を記憶部の記憶内容に同期させた結果を示す概念図である。
【図１２】光ディスクの記録内容をバックアップ先の光ディスクにバックアップさせた結果を示す概念図である。
【図１３】バックアップ処理の手順を示すフローチャートである。
【発明を実施するための形態】
【００１８】
実施の形態１
以下、本発明をその実施の形態を示す図面に基づき具体的に説明する。図１は、放送記録装置の外観を示す概念図である。記録再生装置としての放送記録装置１には、テレビジョン受像機である映像表示装置４が接続されており、放送記録装置１は、映像表示装置４に対して映像信号及び音声信号を出力し、映像表示装置４は、映像信号に基づいた映像を表示し、音声信号に基づいた音声を出力する。また放送記録装置１は、ユーザによって操作されるリモコン（リモートコントローラ）５からの信号を受信することにより、録画予約の指示等の各種の指示を受け付ける。
【００１９】
図２は、放送記録装置１の内部構成を示すブロック図である。放送記録装置１は、図示しない外部のアンテナ等と、放送入力部３１と、信号入力部３２とを備えている。放送入力部３１には、デジタル放送の放送波を復調した放送信号が入力される。信号入力部３２には、図示しない外部チューナ等の外部装置から映像信号及び音声信号が入力される。また、放送記録装置１は、リモコン受信部３３と、信号出力部３４と、ハイブリッドドライブ部１０と、バックエンド部２０とを備える。リモコン受信部３３は、リモコン５からの信号を受信する。信号出力部３４は、映像表示装置４へ映像信号及び音声信号を出力する。ハイブリッドドライブ部１０は、放送された番組の内容を表す番組データを記録する。バックエンド部２０は、放送波から番組データを生成する処理を行う。
【００２０】
番組データは映像及び音声からなる番組の内容を表すデジタルデータであり、番組データをデコードすることにより、番組の映像及び音声を再生することができる。バックエンド部２０は、デジタルチューナ２１及びエンコーダ２２を備える。デジタルチューナ２１には放送入力部３１が接続され、エンコーダ２２には信号入力部３２が接続されている。デジタルチューナ２１には、放送入力部３１からデジタル放送の放送信号が入力される。また、デジタルチューナ２１は、入力された放送信号のうち、選局されたチャンネル即ち特定の周波数帯の放送信号をＭＰＥＧ（Moving Picture Experts Group）−２ＴＳ（Transport Stream）等のデジタルのストリームデータに変換する。
【００２１】
エンコーダ２２は、信号入力部３２から映像信号及び音声信号が入力される。エンコーダ２２は、入力された映像信号及び音声信号をＭＰＥＧ−２ＰＳ（Program Stream）又はＭＰＥＧ−２ＴＳ等のデジタルのストリームデータにエンコードする処理を行う。またバックエンド部２０は、ストリーム処理部２３を備えており、デジタルチューナ２１及びエンコーダ２２はストリーム処理部２３に接続されている。ストリーム処理部２３には、デジタルチューナ２１及びエンコーダ２２からストリームデータが入力される。ストリーム処理部２３は、入力されたストリームデータに対してデジタル放送用のスクランブルを解除する処理等のデータ処理を施す。
【００２２】
ストリーム処理部２３は、バックエンド部２０内のシステムバスに接続されている。またシステムバスには、演算を行う演算部を含む録画／再生制御部２４、揮発性メモリである制御用メモリ２５、不揮発性メモリである保存用メモリ２７、及びストリームデータをデコードするデコーダ２８が接続されている。またデコーダ２８には、画像処理部２９が接続されている。録画／再生制御部２４は、システムバスに接続された各部分間でのデータの入出力を制御する処理を行う。また録画／再生制御部２４にはバックエンド部２０外のリモコン受信部３３が接続されており、録画／再生制御部２４は、リモコン受信部３３からの信号を入力されることにより、ユーザからの各種の指示を受け付ける。なお、放送記録装置１は、更に、チューナ装置等の外部装置からストリームデータを受信するイーサネット（登録商標）等のデジタルインターフェースを備えていてもよい。このデジタルインターフェースは、ストリーム処理部２３に接続されている。
【００２３】
制御用メモリ２５は、ストリーム処理部２３又は録画／再生制御部２４等が実行する演算に伴う一時的な情報を記憶する。保存用メモリ２７は、録画／再生制御部２４の動作に必要な制御プログラム、及び録画予約に必要な情報等、保存する必要がある情報を記憶する。デコーダ２８は、ストリームデータを映像信号及び音声信号へデコードし、映像信号及び音声信号を画像処理部２９へ入力する。画像処理部２９は、画素の補間又は色調整等の画像処理を映像信号に対して実行する。画像処理部２９にはバックエンド部２０外の信号出力部３４が接続されており、映像信号及び音声信号は信号出力部３４から映像表示装置４へ出力される。
【００２４】
更に、バックエンド部２０内のシステムバスには、ＳＡＴＡ（Serial Advanced Technology Attachment ）等のインターフェース部２６が接続されており、インターフェース部２６には、バックエンド部２０外のハイブリッドドライブ部１０が接続されている。バックエンド部２０は、インターフェース部２６を介してハイブリッドドライブ部１０との間でデータを交換する。ハイブリッドドライブ部１０は、インターフェース部１４と、記録再生部としての光ディスクドライブ１１と、データを記憶する記憶部１２と、ドライブ制御部１３と、交換部１５とを備える。ドライブ制御部１３は、光ディスクドライブ１１及び記憶部１２の動作を制御する。ハイブリッドドライブ部１０は、バックエンド部２０に接続するＳＡＴＡ等のインターフェース部１４を介してバックエンド部２０との間でデータを交換する。
【００２５】
光ディスクドライブ１１は、ＤＶＤ（ Digital Versatile Disc ）又はＢＤ（ Blu-ray Disc，登録商標）等の光ディスクが装着される。交換部１５は、光ディスクが収納される複数のトレイを備えている。交換部１５への光ディスクの収納は、ユーザによる操作を受付けてトレイを載置状態に移動し、ユーザにより光ディスクが載置されたトレイを収納位置に移動することで行われる。交換部１５は、収納した複数の光ディスクのうち、一つの光ディスクを光ディスクドライブ１１に装着するようにしてあり、いわゆるディスクチェンジャである。交換部１５は、光ディスクドライブ１１に装着する光ディスクの選択をインターフェース部１４を介してバックエンド部２０から受け付けるようにしてある。
【００２６】
本実施の形態１では、第１トレイ及び第２トレイを備えた２連装ディスクチェンジャからなる交換部１５を放送記録装置１が備える場合を例に挙げて説明する。光ディスクドライブ１１は、装着された光ディスクからのデータの読み出し、及び光ディスクへのデータの記録を行う。録画／再生制御部２４は、光ディスクドライブ１１と共に、光ディスクから読み出したデータを後述のバックアップ先の光ディスクにバックアップするバックアップ部として機能するようにしてある。記憶部１２は、フラッシュメモリ等の不揮発性メモリ又はハードディスクで構成されてある。次に、放送記録装置１が光ディスクに記録されている番組データを他の光ディスクにバックアップする場合の動作を説明する。
【００２７】
図３は、バックアップ処理の手順を示すフローチャートである。バックアップ処理は、交換部１５が第１トレイに収納された光ディスクを第２トレイに収納された光ディスクにバックアップすべく放送記録装置１により実行される。録画／再生制御部２４は、第１トレイに番組データが記録された録画済ディスクが収納されている状態で、交換部１５の第２トレイに光ディスクが収納されたか否かを判定する（ステップＳ１１）。第２トレイに光ディスクが収納されていないと判定した場合（ステップＳ１１でＮＯ）、録画／再生制御部２４は、光ディスクが収納されるまで待機する。
【００２８】
録画／再生制御部２４は、第２トレイに光ディスクが収納されたと判定した場合（ステップＳ１１でＹＥＳ）、第２トレイに収納された光ディスクを交換部１５に光ディスクドライブ１１へ装着させる（ステップＳ１２）。録画／再生制御部２４は、光ディスクドライブ１１に装着された光ディスクの記録状態に基づいて空きディスクであるか否かを判定する（ステップＳ１３）。空きディスクであると判定した場合（ステップＳ１３でＹＥＳ）、録画／再生制御部２４は、バックアップ指示を受付けたか否かを判定する（ステップＳ１４）。バックアップ指示の受付は、録画／再生制御部２４がバックアップ指示を受付けるための操作画面を映像表示装置４に表示させ、操作画面に応じたユーザによる操作をリモコン５により受付けるとよい。バックアップ指示を受付けたと判定した場合（ステップＳ１４でＹＥＳ）、録画／再生制御部２４は、光ディスクドライブ１１に装着されている光ディスクを第１トレイに収納されており、番組データが記録されている録画済ディスクへ交換部１５に交換させる（ステップＳ１５）。
【００２９】
録画／再生制御部２４は、光ディスクドライブ１１に録画済ディスクから読み出させた所定容量の番組データを記憶部１２に記憶する（ステップＳ１６）。所定容量は、記憶部１２の使用可能な空き容量とするとよい。録画／再生制御部２４は、光ディスクドライブ１１に装着されている録画済ディスクを第２トレイに収納されている空きディスクへ交換部１５に交換させる（ステップＳ１７）。録画／再生制御部２４は、ステップＳ１６で記憶部１２に記憶した番組データを、交換した空きディスクへ光ディスクドライブ１１に記録させる（ステップＳ１８）。録画／再生制御部２４は、記憶部１２に記憶してある番組データを消去し （ステップＳ１９）、録画済みディスクに記録されている全ての番組データを空きディスクに記録済みであるか否かを判定する（ステップＳ２０）。
【００３０】
全ての番組データを記録済みでないと判定した場合（ステップＳ２０でＮＯ）、録画／再生制御部２４は、第１トレイの録画済ディスクに交換させるステップＳ１５に処理を戻す。全ての番組データをバックアップ済みであると判定した場合（ステップＳ２０でＹＥＳ）、バックアップ処理を終了する。また、空きディスクであるか否かを判定するステップＳ１３において、空きディスクでないと判定した場合（ステップＳ１３でＮＯ）、録画／再生制御部２４は、バックアップ処理を終了する。バックアップ指示を受付けたか否かを判定するステップＳ１４において、バックアップ指示を受付けていないと判定した場合（ステップＳ１４でＮＯ）、録画／再生制御部２４は、バックアップ処理を終了する。
【００３１】
バックアップ対象の光ディスクに記録された番組データを記憶部１２に記憶し、記憶部１２から読み出した番組データをバックアップ先の光ディスクに記録することにより、１つの光ディスクドライブ１１を用いて１つの光ディスクに記録してある番組データを他の光ディスクにバックアップすることが可能となる。
【００３２】
本実施の形態１は、第１トレイ及び第２トレイ夫々に録画済みディスク及び空きディスクが収納される場合を例に説明したが、第１トレイ及び第２トレイ夫々に空きディスク及び録画済みディスクが収納されていてもよいことは言うまでもない。また、交換部１５は、２連装ディスクチェンジャに限るものではなく、空きディスク及び録画済ディスクを含む３枚以上の光ディスクを収納する多連装ディスクチェンジャであってもよい。
【００３３】
実施の形態２
図４は、記憶部１２の内部構成を示す模式図である。本実施の形態２は、特定の記憶領域に対応付けて特定の光ディスクが登録してあり、当該光ディスクに記録された番組データをバックアップする。記憶部１２は、記憶部１２の記憶内容を管理するための情報を記憶する管理領域、並びに番組データを記憶するための第１領域、第２領域、…、第ｎ領域及び予備領域の複数の記憶領域を含んで構成されている。ここで、ｎは正の整数である。ｎは予め適当な値に定められており、放送記録装置１の出荷時点では、記憶部１２の記憶領域が管理領域、第１〜第ｎ領域及び予備領域の複数の記憶領域に予め分割されている。
【００３４】
記憶部１２の記憶領域の内、第１〜第ｎ領域は、個別に特定の光ディスクを対応付けておき、対応づけた光ディスクに応じたデータを記憶するための記憶領域である。例えば、第１領域には特定の光ディスク６１が対応付けられ、第２領域には特定の光ディスク６２が対応付けられている。放送記録装置１の出荷時点では、いずれの領域にも光ディスクは対応付けられていない。放送記録装置１を使用するには、ユーザ所有の光ディスクを何れかの記憶領域に対応付けて登録する処理を行う必要がある。予備領域は、その他のデータを記憶するための記憶領域である。また、予備領域は、バックアップ先の光ディスクを対応付け可能にしてあり、当該光ディスクが対応付けられた場合、当該光ディスクに応じたデータを記憶する。
【００３５】
記憶部１２の管理領域は、図４に示すように、管理領域を管理するための情報を記憶する管理領域管理部と、第１領域、第２領域、…、第ｎ領域及び予備領域の夫々を管理するための情報を記憶する第１領域管理部、第２領域管理部、…、第ｎ領域管理部及び予備領域管理部とを含んで構成されている。管理領域には、記憶部１２の記憶領域を分割した数を示すエントリ数と、管理領域中で第１〜第ｎ領域管理部及び予備領域管理部の夫々に割り当てられたエリアのアドレスを示す割り当てエリア情報とが記憶されている。
【００３６】
第１領域管理部には、第１領域の番号を示すエントリ番号、第１領域に実際に光ディスクが対応付けられているか否かを示す割り当てフラグ、及び対応付けられた光ディスクを識別するためのメディアＩＤが記憶される。また第１領域管理部には割り当てエリア情報、メディアキー情報、マップ情報が記憶される。割り当てエリア情報は、記憶部１２の記憶領域中で第１領域に割り当てられたエリアのアドレスを示す。メディアキー情報は、光ディスクのコピーガードに利用するための情報である。マップ情報は、第１領域に係るデータの分布状態を示す。
【００３７】
メディアＩＤ及びメディアキー情報は、光ディスクに予め記録されている情報であり、個々の光ディスクについて固有の情報である。放送記録装置１の出荷時点では、第１領域にはまだ光ディスク６１が対応付けられていないので、割り当てフラグは光ディスクが対応付けられていないことを示しており、特定の光ディスク６１に固有のメディアＩＤ及びメディアキー情報はまだ記憶されていない。マップ情報は、第１領域で記憶するデータ、及び第１領域に対応付けられた光ディスク６１で記録するデータが、第１領域及び光ディスク６１のどのアドレスに分布しているのかを示している。第２〜第ｎ領域管理部の夫々及び予備領域管理部にも、同様の情報が記憶される。
【００３８】
なお、放送記録装置１は、記憶部１２の記憶領域が予め分割されているのではなく、ユーザがｎの値を指定することによりｎを決定し、ｎの値に応じて記憶部１２の記憶領域を分割する処理を行う形態であってもよい。光ディスク６１〜６ｎ夫々は、交換部１５が有する複数のトレイ夫々に収納されるようにしてある。また、第１〜第ｎ領域のいずれにも対応付けられない光ディスクが交換部１５のトレイに収納された場合、バックアップ先の光ディスクとして予備領域に対応付けられる。ここで複数のバックアップ先の光ディスク７１，７２，７３，…が交換部１５のトレイに収納された場合、複数のバックアップ先の光ディスク全てが一つの光ディスクとして予備領域が分割されることなく対応付けられるようにしてある。
【００３９】
図５は、記憶部１２の記憶領域を分割する処理の手順を示すフローチャートである。録画／再生制御部２４は、放送記録装置１に登録できる光ディスクの枚数の指定を受け付けるための受付画面を映像表示装置４に表示させ、ユーザが所定の操作を行ったリモコン５からの信号をリモコン受信部３３が受信することによって、登録できる光ディスクの枚数の指定を受け付ける（Ｓ３１）。登録できる光ディスクの枚数は、交換部１５に収納可能な光ディスクの枚数以下としてもよい。また、ユーザによる指定を受け付けることなく、登録できる光ディスクの枚数を交換部１５に収納可能な光ディスクの枚数としてもよい。録画／再生制御部２４は、記憶部１２の管理領域管理部に、指定された枚数の値を、エントリ数ｎとして記憶させることにより、エントリ数を設定する（Ｓ３２）。
【００４０】
録画／再生制御部２４は、次に、記憶部１２の管理領域中に第１〜第ｎ領域管理部及び予備領域管理部を確保し、夫々に割り当てられたエリアのアドレスを示す割り当てエリア情報を管理領域管理部に記憶させることにより、第１領域管理部、第２領域管理部、…、第ｎ領域管理部及び予備領域管理部を設定する（Ｓ３３）。録画／再生制御部２４は、次に、記憶部１２の管理領域以外の記憶領域を（ｎ＋１）分割し、第１〜第ｎ領域及び予備領域の夫々に割り当てられたエリアのアドレスを示す割り当てエリア情報を、第１〜第ｎ領域管理部及び予備領域管理部の夫々に記憶させることにより、第１〜第ｎ領域及び予備領域を設定する（Ｓ３４）。放送記録装置１は、以上で記憶部１２の記憶領域を分割する処理を終了する。次に、以上の構成でなる放送記録装置１が実行する処理を説明する。
【００４１】
図６は、光ディスクドライブ１１に光ディスクが装着されてから放送記録装置１が行う処理の手順を示すフローチャートである。交換部１５に収納してある複数の光ディスクのうち、１つの光ディスクが選択されて交換部１５により光ディスクドライブ１１に装着された場合、ドライブ制御部１３は、光ディスク中の所定の位置に記録された情報を光ディスクドライブ１１に読み出させる。これにより、光ディスクのメディアＩＤを読み出し、インターフェース部１４からバックエンド部２０へ入力する。録画／再生制御部２４は、読み出したメディアＩＤが記憶部１２の第１〜第ｎ領域管理部のいずれかに記憶されているかを判定することにより、装着された光ディスクが既に登録済みの光ディスクであるか否かを判定する（Ｓ４１）。
【００４２】
メディアＩＤが記憶部１２に記憶されておらず、光ディスクが未登録であった場合（Ｓ４１でＮＯ）、録画／再生制御部２４は、光ディスクドライブ１１で光ディスクから読み出したデータに基づき、光ディスクがフォーマット済みの光ディスクであるか否かを判定する（Ｓ４２）。ステップＳ４２では、例えば、ｖｏｌｕｍｅ  ｄｅｓｃｒｉｐｔｏｒに基づいて判定を行う。光ディスクがフォーマット済みの光ディスクであった場合（Ｓ４２でＹＥＳ）、録画／再生制御部２４は、光ディスクドライブ１１で光ディスクから読み出したデータに基づき、光ディスクが再生専用の光ディスクであるか否かを判定する（Ｓ４３）。
【００４３】
光ディスクが再生専用ではなかった場合（Ｓ４３でＮＯ）、録画／再生制御部２４は、光ディスクのフォーマット指示を受け付けたか否かを判定する（Ｓ４４）。例えば、録画／再生制御部２４は、光ディスクのフォーマット指示を受け付けるための受付画面用の映像信号をデコーダ２８及び画像処理部２９を介して信号出力部３４から映像表示装置４へ送信する。これにより、映像表示装置４にフォーマット指示を受け付けるための受付画面を表示させる。受付画面を確認したユーザは、リモコン５を操作することによりフォーマットの指示を入力する。ユーザからの所定の操作を受け付けたリモコン５が送信した所定の信号をリモコン受信部３３が受信して光ディスクのフォーマット指示を受け付けた場合（Ｓ４４でＹＥＳ）、録画／再生制御部２４は、ドライブ制御部１３及び光ディスクドライブ１１に光ディスクをフォーマットさせる（Ｓ４５）。
【００４４】
またステップＳ４２で光ディスクがフォーマット済みではなかった場合は（Ｓ４２でＮＯ）、録画／再生制御部２４は、ドライブ制御部１３及び光ディスクドライブ１１に、光ディスクをフォーマットさせる（Ｓ４５）。光ディスクのフォーマット指示の受け付けがない場合は（Ｓ４４でＮＯ）、録画／再生制御部２４は、光ディスクの登録指示を受け付けたか否かを判定する（Ｓ４６）。例えば、録画／再生制御部２４は、登録指示を受け付けるための受付画面を映像表示装置４に表示させ、光ディスクの登録を行うか否かの指示をリモコン受信部３３で受け付ける。
【００４５】
なお、フォーマット指示を受け付けるための受付画面と、登録指示を受け付けるための受付画面とを一つに合わせた受付画面を映像表示装置４に表示させる処理を行ってもよい。ステップＳ４５が終了した場合、録画／再生制御部２４は、記憶部１２の管理領域に記憶された情報に基づき、記憶部１２の第１〜第ｎ領域の内で光ディスクが対応付けられていない記憶領域があるか否かを判定する（Ｓ４７）。また、ステップＳ４６で光ディスクの登録指示を受け付けた場合（Ｓ４６でＹＥＳ）、録画／再生制御部２４は、記憶部１２の第１〜第ｎ領域の内で光ディスクが対応付けられていない記憶領域があるか否かを判定する（Ｓ４７）。
【００４６】
光ディスクが対応付けられていない記憶領域がない場合（Ｓ４７でＮＯ）、録画／再生制御部２４は、各記憶領域に対応付けて登録してある光ディスクの内で何れかの光ディスクの登録を解消することの指示を受け付けたか否かを判定する（Ｓ４８）。例えば、録画／再生制御部２４は、光ディスクの新規登録ができないことを報知した上で既に登録されている光ディスクの登録解消の指示を受け付けるための受付画面を映像表示装置４に表示させ、登録解消をするか否かの指示をリモコン受信部３３で受け付ける。なお、どの光ディスクの登録を解消するかの指示をも受け付ける処理を行ってもよい。
【００４７】
登録解消の指示を受け付けた場合は（Ｓ４８でＹＥＳ）、録画／再生制御部２４は、ドライブ制御部１３に、記憶部１２の管理領域に記憶されている一の光ディスクに固有の媒体情報を消去させることにより、一の光ディスクの登録を解消する処理を行う（Ｓ４９）。例えば、記憶部１２の第１領域に対応付けられている光ディスク６１の登録を解消する場合は、録画／再生制御部２４は、記憶部１２の第１領域管理部に記憶されているメディアＩＤ及びメディアキー情報を消去する処理を行う。またこのとき、第１領域管理部に記憶されている割り当てフラグは、光ディスクが対応付けられていないことを示すフラグに書き換えられる。
【００４８】
ステップＳ４７で光ディスクが対応付けられていない記憶領域がある場合（Ｓ４７でＹＥＳ）、録画／再生制御部２４は、光ディスクドライブ１１に装着された光ディスクに固有の媒体情報を、光ディスクが対応付けられていない記憶領域に関連付けて記憶部１２の管理領域に記憶する。これにより、光ディスクを記憶領域に対応付けて登録する処理を行う（Ｓ５０）。また、ステップＳ４９が終了した場合にも、録画／再生制御部２４は、光ディスクを記憶領域に対応付けて登録する処理を行う（Ｓ５０）。例えば、記憶部１２の第１領域に光ディスク６１を対応付ける場合、録画／再生制御部２４は、始めに光ディスクドライブ１１に装着されている光ディスク６１からメディアＩＤ及びメディアキー情報を読み出す。
【００４９】
次に録画／再生制御部２４は、読み出したメディアＩＤ及びメディアキー情報を記憶部１２の第１領域管理部に記憶させる処理を行う。また録画／再生制御部２４は、第１領域管理部に記憶されている割り当てフラグを、光ディスクが対応付けられていることを示すフラグに書き換える。ステップＳ４１でメディアＩＤが記憶部１２に記憶されており、光ディスクが登録済みであった場合（Ｓ４１でＹＥＳ）、録画／再生制御部２４は、録画又は再生等の処理を実行するために、光ディスクドライブ１１に装着されている光ディスクへのアクセスを開始する（Ｓ５１）。また、ステップＳ５０が終了した場合にも、録画／再生制御部２４は、光ディスクドライブ１１に装着されている光ディスクへのアクセスを開始する（Ｓ５１）。
【００５０】
ステップＳ４３で光ディスクが再生専用であった場合（Ｓ４３でＹＥＳ）、録画／再生制御部２４は、光ディスクドライブ１１に装着されている光ディスクに対して、未登録の光ディスクとしてアクセスを開始し（Ｓ５２）、処理を終了する。また、ステップＳ４６で光ディスクの登録指示の受付がなかった場合（Ｓ４６でＮＯ）、又はステップＳ４８で登録解消の指示の受付がなかった場合（Ｓ４８でＮＯ）、録画／再生制御部２４は、後述のバックアップ処理を実行する（Ｓ５３）。放送記録装置１は、以上で、光ディスクが装着された際の処理を終了する。次に、放送記録装置１が録画予約に基づいて録画する動作を説明する。
【００５１】
録画／再生制御部２４は、録画すべき番組の指定を受け付けるための受付画面を映像表示装置４に表示させ、使用者が所定の操作を行ったリモコン５からの信号をリモコン受信部３３で受信することによって、録画すべき番組の指定を受け付ける。録画／再生制御部２４は、受け付けた番組の指定に従って、録画を予約した番組を指定する予約情報を生成し、光ディスクドライブ１１に装着されている光ディスクのメディアＩＤと関連付けて、予約情報を保存用メモリ２７に記憶させる。録画／再生制御部２４は、ドライブ制御部１３及び光ディスクドライブ１１に、光ディスクドライブ１１に装着されている光ディスクに予約情報を記録させて録画予約を完了する。
【００５２】
録画／再生制御部２４は、予約情報に基づいて番組を録画するようにしてある。録画／再生制御部２４は、予約情報が示す番組の放送開始時刻に、光ディスクドライブ１１に当該予約情報が記録された光ディスクが装着されている場合、光ディスクに放送が開始された番組の番組データを記録する。なお、録画／再生制御部２４は、光ディスクに番組データを記録させると共に、記憶部１２の記憶領域の内で、予約情報に関連付けられた光ディスクに対応する記憶領域に番組データを記憶させる処理を行ってもよい。番組の放送が終了し、番組データの記録が終了した場合、録画／再生制御部２４は、当該番組の記録状態を示す記録状態情報を光ディスクに記録させる。
【００５３】
また、録画／再生制御部２４は、記憶部１２の記憶領域の内で、予約情報に関連付けられた光ディスクに対応する記憶領域に記録状態情報を記憶させる。放送開始時刻となった番組を示す予約情報が記録されていない光ディスクが光ディスクドライブ１１に装着されている場合、又は光ディスクが光ディスクドライブ１１に装着されていない場合、録画／再生制御部２４は、放送が開始された番組の内容を表す番組データを、記憶部１２の記憶領域の内で、予約情報に関連付けられた光ディスクに対応付けられた記憶領域に記憶させる。
【００５４】
図７及び図８は、光ディスクの記録内容を記憶部１２の記憶内容に同期させた結果を示す概念図である。図７は、記憶部１２の第１領域に番組１及び番組２の番組データが記録された状態を示し、更に、光ディスク６１の記録内容及び第１領域の記録内容の少なくとも一方に含まれる番組データを記録する仮想的なディスク（仮想ディスク）の記録イメージを示す。図７中斜線部及び矢印夫々は、後述のＦＳ（ファイルシステム）データ及びアドレスの先頭から終端に向かう方向を示す。仮想ディスク、光ディスク及び第１領域夫々は、記録領域及び記憶領域の先頭から終端に向かってアドレスが割り当てられている。
【００５５】
第１領域に番組１及び番組２の番組データが記憶されており、それに伴って仮想ディスクにも番組データが記録されている。また、第１領域では、番組１及び番組２の番組データが連続して記憶されていることが示されている。放送記録装置１は、光ディスクの記録領域に記録ができない不良箇所がある場合、当該不良箇所を避けて記録するようにしてあり、光ディスクには断片化された番組データが記録される。図８に示す概念図は、断片化された番組データを記録した光ディスク６１又は番組データを記憶した記憶部１２の状態を示している。
【００５６】
図８に示す例では、第１領域には番組１の番組データが記憶されており、光ディスク６１では、番組データは部分１及び部分２の２つの部分に分割して記録されている。放送記録装置１は、ＦＳを用いて断片化された番組データを管理するようにしてある。図７の斜線部で示す如く、ＦＳにより各ファイルを管理するために必要なＦＳデータが光ディスク６１に記録されている。録画／再生制御部２４がファイルにアクセスするためには、ＦＳデータが必要である。保存用メモリ２７は、各光ディスクが記録してあるＦＳデータと同等のＦＳデータを、ディスクＩＤに関連付けて記憶している。録画／再生制御部２４は、同期の処理を行う際に、光ディスクで記録するＦＳデータと保存用メモリ２７で記憶するＦＳデータとを同期させる処理を行う。
【００５７】
図９は、マップ情報、記録状態情報及びＦＳデータのレコードレイアウト例を示す図表である。図９（ａ）は、記憶部１２の第１領域管理部に記憶されたマップ情報の内容例を示している。仮想ディスク及び第１領域における断片化された部分データのデータ分布が、先頭アドレス及びデータのサイズによって記録されている。番組１の番組データが仮想ディスク上では部分１及び部分２の部分データに断片化されて記録され、番組２の番組データが仮想ディスク上では、断片化されずに部分１の部分データとして記録されていることが示されている。図９（ｂ）は、記録状態情報の内容例を示している。
【００５８】
番組データのデータ名に関連付けて、番組が継続する時間の長さ、画質、ダビング可能回数、ダビング回数及び同期状態を示す情報が記録状態情報に記録されている。図９（ｃ）は、ＦＳデータの一部の内容例を示しており、番組１及び番組２の番組データに関する部分を示している。例えば、番組１のデータ名に関連付けて、番組１の番組データを構成する部分１及び部分２の仮想ディスク及び光ディスクにおける所在を示す先頭アドレス及びサイズからなる配置情報がＦＳデータに記録されている。配置情報を参照することにより、光ディスクに記録された番組データにアクセスすることが可能となる。
【００５９】
また、配置情報の内容は仮想ディスクマップと同等であり、配置情報に含まれる仮想ディスクマップにマップデータで関連付けられた記憶部１２の記憶領域でのマップを参照することにより、記憶部１２に記憶された番組データにアクセスすることが可能となる。なお、以上の説明では、説明を簡単にするためにアドレス及びデータサイズを十進法の数値で示したが、実際には１６進法の数値等、十進法以外の数値でアドレス及びデータサイズが管理されることも多い。
【００６０】
図１０は、バックアップ情報及びＦＳデータのレコードレイアウト例を示す図表である。図１０（ａ）は、後述のバックアップ処理に関連して記憶部１２の予備領域管理部に記憶されたバックアップ情報の内容例を示している。番組データのデータ名に関連付けて、番組が継続する時間の長さ、バックアップした番組データの画質及びバックアップ対象の光ディスクのディスク番号を示す情報がバックアップ情報に記録されている。図１０（ｂ）は、記憶部１２の予備領域管理部に記憶されたＦＳデータの内容例を示している。複数の光ディスクが予備領域に対応付けられた場合、当該複数の光ディスクを１つの記録媒体としてアドレスが割り当てられる。図１０（ｂ）に示す例では、番組データのデータ名に関連付けて、当該番組データのバックアップ先の光ディスクが収納してあるトレイ番号を示す情報が記憶されている。次に放送記録装置１が光ディスク又は記憶部１２の記憶領域に記録又は記憶された番組データをバックアップする手順を説明する。
【００６１】
図１１は、バックアップ先の光ディスクの記録内容を記憶部１２の記憶内容に同期させた結果を示す概念図である。放送記録装置１は、未登録の光ディスクが交換部１５に収納され、かつ登録指示を受付けなかった場合、当該光ディスクをバックアップ先の光ディスクとして記憶部１２の予備領域に対応付けて登録する。バックアップ先の光ディスクは、番組データが記録されていないものに限らず、番組データが記録されているものであってもよい。放送記録装置１は、バックアップ先の光ディスクの記録内容を記憶部１２の予備領域の記憶内容に同期させて登録済みの光ディスクと同様に管理するようにしてある。
【００６２】
図１１（ａ）は、第１トレイ、第３トレイ及び第５トレイ夫々に収納されたバックアップ先の光ディスク７１〜７３及び同期された記憶部１２の記録及び記憶内容の例を示している。第１トレイに収納された光ディスク７１には番組１の番組データが記録されており、光ディスク７１の記録内容に同期して予備領域に番組１が記憶されている。また、第３トレイに収納された光ディスク７２には番組２の番組データが記録されており、光ディスク７２の記録内容に同期して予備領域の番組１に連続して番組２が記憶されている。第５トレイに収納された光ディスク７３には、番組データが記録されていない。
【００６３】
図１２は、光ディスクの記録内容をバックアップ先の光ディスクにバックアップさせた結果を示す概念図である。図１２は、図１１の状態で図示しない第２トレイ及び第４トレイに収納してある登録済みの光ディスクを第１、第３、第５トレイに収納されたバックアップ先の光ディスクにバックアップする場合の各光ディスクの記録内容及び各記憶領域の記憶内容を示している。第２トレイに収納してあるバックアップ対象の光ディスク６１には、番組３及び番組４の番組データが記録されており、光ディスク６１に同期して記憶部１２の第１領域には、番組３及び番組４の番組データが記憶されている。第４トレイに収納してあるバックアップ対象の光ディスク６２には、番組３及び番組５の番組データが記録されており、光ディスク６２に同期して記憶部１２の第２領域には、番組３及び番組５の番組データが記憶されている。
【００６４】
放送記録装置１は、登録済みの光ディスクの記録内容に同期して記憶部１２の記憶領域に記憶した番組データをバックアップ先の光ディスクの空き領域に記録することでバックアップする。図１２に示す例では、第１領域に記憶された番組３及び番組４の番組データが第１トレイ及び第３トレイに収納された光ディスク７１，７２にバックアップされている。また、第２領域に記憶された番組３及び番組５が第５トレイに収納された光ディスク７３にバックアップされている。放送記録装置１は、バックアップした番組データのデータ名及びバックアップ対象の光ディスクのディスク番号等を用いて記憶部１２の管理領域管理部に記憶されているバックアップ情報を更新する。
【００６５】
これにより、交換部１５に未登録の光ディスクが収納された場合、登録済みの光ディスクの記録内容が記憶部１２の記憶領域から読み出されて未登録の光ディスクにバックアップされる。また、交換部１５に複数の未登録の光ディスクが収納された場合、１つのバックアップ先の記録媒体としてバックアップが行われる。放送記録装置１は、バックアップした各番組データのバックアップ対象の光ディスクを、バックアップ情報に記憶されたディスク番号を参照することで特定するようにしてある。
【００６６】
図１３は、バックアップ処理の手順を示すフローチャートである。バックアップ処理は、図６のステップＳ５３で実行される。録画／再生制御部２４は、交換部１５のトレイに収納された未登録の光ディスクを記憶部１２の予備領域に対応付けてバックアップ先の光ディスクとして登録する（ステップＳ６１）。録画／再生制御部２４は、バックアップ先の光ディスクの空き容量を取得する（ステップＳ６２）。複数の光ディスクが交換部１５のトレイに収納された場合は、複数の光ディスク夫々の空き容量の合計がステップＳ６２で取得される。
【００６７】
録画／再生制御部２４は、記憶部１２の管理領域管理部に記憶してあるバックアップ情報を読出し（ステップＳ６３）、さらに記録状態情報を読み出す（ステップＳ６４）。録画／再生制御部２４は、バックアップ情報及び記録状態情報を参照することにより、バックアップしていない未バックアップの番組データがあるか否かを判定する（ステップＳ６５）。バックアップ情報に含まれておらず、記録状態情報に含まれている番組データをステップＳ６５で未バックアップの番組データとするとよい。
【００６８】
未バックアップの番組データがあると判定した場合（ステップＳ６５でＹＥＳ）、録画／再生制御部２４は、当該番組データのデータ容量を取得する（ステップＳ６６）。録画／再生制御部２４は、バックアップ先の光ディスクの空き容量が未バックアップの番組データのデータ容量よりも大なるか否かを判定する（ステップＳ６７）。空き容量がデータ容量よりも大なると判定した場合（ステップＳ６７でＹＥＳ）、録画／再生制御部２４は、番組データをバックアップ先の光ディスクにバックアップする（ステップＳ６８）。録画／再生制御部２４は、記憶部１２の管理領域管理部に記憶してあるバックアップ情報を更新して（ステップＳ６９）、記録状態情報を読み出すステップＳ６４に処理を戻す。
【００６９】
ステップＳ６５で未バックアップの番組データがないと判定した場合（ステップＳ６５でＮＯ）、録画／再生制御部２４は、記録状態情報を読み出すステップＳ６４に処理を戻す。これにより、記録状態情報を繰返し読み出して、登録済みの光ディスク又は記憶部１２の記憶領域に新たに番組データが記録又は記憶されるまで待機する。ステップＳ６７で空き容量がデータ容量よりも大でないと判定した場合（ステップＳ６７でＮＯ）、録画／再生制御部２４は、バックアップ処理を終了する。
【００７０】
登録済みの光ディスクに記録された番組データに同期して記憶部１２の記憶領域に記憶された番組データをバックアップ先の光ディスクに記録することにより、１つの光ディスクドライブ１１を用いて１つの光ディスクに記録してある番組データを他の光ディスクにバックアップすることが可能となる。
【００７１】
本実施の形態２は以上の如き構成としてあり、その他の構成及び処理は実施の形態１と同様であるので対応する部分には同一の符号及び処理名を付してその詳細な説明を省略する。
【符号の説明】
【００７２】
１  放送記録装置
４  映像表示装置
５  リモコン（リモートコントローラ）
１０  ハイブリッドドライブ部
１１  光ディスクドライブ
１２  記憶部
１３  ドライブ制御部
１４，２６  インターフェース部
１５  交換部
２０  バックエンド部
２１  デジタルチューナ
２２  エンコーダ
２３  ストリーム処理部
２４  録画／再生制御部
２５  制御用メモリ
２７  保存用メモリ
２８  デコーダ
２９  画像処理部
３１  放送入力部
３２  信号入力部
３３  リモコン受信部
３４  信号出力部
６１，６２，７１，７２，７３  光ディスク（記録媒体）
【図１】
2010250897.tif 000003
【図２】
2010250897.tif 000004
【図３】
2010250897.tif 000005
【図４】
2010250897.tif 000006
【図５】
2010250897.tif 000007
【図６】
2010250897.tif 000008
【図７】
2010250897.tif 000009
【図８】
2010250897.tif 000010
【図９】
2010250897.tif 000011
【図１０】
2010250897.tif 000012
【図１１】
2010250897.tif 000013
【図１２】
2010250897.tif 000014
【図１３】
2010250897.tif 000015